【手続補正書】
【提出日】平成24年4月20日(2012.4.20)
【手続補正１】
【補正対象書類名】明細書
【補正対象項目名】発明の名称
【補正方法】変更
【補正の内容】
【発明の名称】デジタル放送受信装置
【手続補正２】
【補正対象書類名】明細書
【補正対象項目名】０００１
【補正方法】変更
【補正の内容】
【０００１】
本発明は、デジタル放送受信装置に関し、より詳細には、車両または携帯端末装置などの移動体に搭載されるデジタル放送受信装置に関する。
【手続補正３】
【補正対象書類名】明細書
【補正対象項目名】００１５
【補正方法】変更
【補正の内容】
【００１５】
本発明の目的は、現在位置で受信可能なデジタル放送信号のチャンネル情報を可及的に短時間で取得することができるデジタル放送受信装置を提供することである。
【手続補正４】
【補正対象書類名】明細書
【補正対象項目名】００１６
【補正方法】変更
【補正の内容】
【００１６】
また本発明の他の目的は、移動などによってデジタル放送信号が受信不可能になった場合に、受信可能なデジタル放送信号を可及的に短時間で見つけることができるデジタル放送受信装置を提供することである。
【手続補正５】
【補正対象書類名】明細書
【補正対象項目名】００１７
【補正方法】変更
【補正の内容】
【００１７】
また本発明の他の目的は、可及的に少ない量のメモリを使用して、受信可能なデジタル放送信号またはそのチャンネル情報を取得することができるデジタル放送受信装置を提供することである。
【手続補正６】
【補正対象書類名】明細書
【補正対象項目名】００１８
【補正方法】変更
【補正の内容】
【００１８】
本発明のデジタル放送受信装置は、物理チャンネルを選局して、選局した物理チャンネルで送信されるデジタル放送信号を取得するチューナ部と、前記チューナ部で取得されるデジタル放送信号に含まれる映像信号、音声信号およびサービス情報を抽出する信号抽出部と、前記信号抽出部で抽出される前記映像信号および前記音声信号を出力する出力部と、現在位置を表す位置情報を取得する位置情報取得部と、南端の緯度、北端の緯度、西端の経度および東端の経度で表現されるエリアの範囲と、前記エリア内で受信できる可能性のあるデジタル放送信号が送信される物理チャンネルとを関連付けたエリア情報を記憶するエリア情報記憶部と、前記チューナ部に対して、選局するべき物理チャンネルを指示する選局制御部とを備え、前記エリアの範囲は、北端の緯度を表す緯線と、南端の緯度を表す緯線と、西端の経度を表す経線と、東端の経度を表す経線とによって囲まれる領域であり、前記選局制御部は、前記位置情報取得部から前記位置情報を取得し、取得した前記位置情報で表される現在位置を前記エリアの範囲に含む前記エリア情報を前記エリア情報記憶部に探索させ、探索の結果得られた前記エリア情報に含まれる物理チャンネルを物理チャンネルリストとして前記エリア情報記憶部から取得し、取得した前記物理チャンネルリストに含まれる物理チャンネルについて順に前記デジタル放送信号の受信の可否を判断し、前記物理チャンネルリストに含まれる物理チャンネルで放送される前記デジタル放送信号が前記エリア情報に含まれるエリアの範囲外の地点で受信可能であれば、その地点の緯度および経度のうち、前記エリア情報に含まれるエリアの範囲を超える値を前記エリア情報記憶部に与えて、前記エリア情報に含まれるエリアの範囲を更新することを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
本発明のデジタル放送受信装置によれば、選局制御部によって、位置情報取得部から現在位置を表す位置情報が取得され、この位置情報で表される現在位置をエリアの範囲に含むエリア情報に含まれる物理チャンネルが、物理チャンネルのリストとしてエリア情報記憶部から取得される。この物理チャンネルリストに含まれる物理チャンネルについて、順に、その物理チャンネルで送信されるデジタル放送信号の受信の可否が選局制御部によって判断される。選局制御部は、物理チャンネルリストに含まれる物理チャンネルで放送されるデジタル放送信号がエリア情報に含まれるエリアの範囲外の地点で受信可能であれば、その地点の緯度および経度のうち、エリア情報に含まれるエリアの範囲を超える値をエリア情報記憶部に与えて、エリア情報に含まれるエリアの範囲を更新する。
【手続補正１１】
【補正対象書類名】明細書
【補正対象項目名】００２４
【補正方法】変更
【補正の内容】
【００２４】
またエリア情報記憶部に記憶されるエリアの範囲外でデジタル放送信号が受信可能であれば、そのエリア情報記憶部に記憶されるエリアの範囲が、選局制御部によって更新されるので、デジタル放送の電波状況が変化し、それまで受信できなかったデジタル放送が受信できるようになった場合、エリア情報記憶部は、選局制御部に与える物理チャンネルリストの中に、電波状況の変化によって受信できるようになったデジタル放送の物理チャンネルを格納することができる。したがって、デジタル放送の電波状況が変化した場合に、受信できるデジタル放送信号をスキャンしないおそれを低くすることができる。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】特許請求の範囲
【補正対象項目名】全文
【補正方法】変更
【補正の内容】
【特許請求の範囲】
【請求項１】
物理チャンネルを選局して、選局した物理チャンネルで送信されるデジタル放送信号を取得するチューナ部と、
前記チューナ部で取得されるデジタル放送信号に含まれる映像信号、音声信号およびサービス情報を抽出する信号抽出部と、
前記信号抽出部で抽出される前記映像信号および前記音声信号を出力する出力部と、
現在位置を表す位置情報を取得する位置情報取得部と、
南端の緯度、北端の緯度、西端の経度および東端の経度で表現されるエリアの範囲と、前記エリア内で受信できる可能性のあるデジタル放送信号が送信される物理チャンネルとを関連付けたエリア情報を記憶するエリア情報記憶部と、
前記チューナ部に対して、選局するべき物理チャンネルを指示する選局制御部とを備え、
前記エリアの範囲は、北端の緯度を表す緯線と、南端の緯度を表す緯線と、西端の経度を表す経線と、東端の経度を表す経線とによって囲まれる領域であり、
前記選局制御部は、
前記位置情報取得部から前記位置情報を取得し、取得した前記位置情報で表される現在位置を前記エリアの範囲に含む前記エリア情報を前記エリア情報記憶部に探索させ、探索の結果得られた前記エリア情報に含まれる物理チャンネルを物理チャンネルリストとして前記エリア情報記憶部から取得し、取得した前記物理チャンネルリストに含まれる物理チャンネルについて順に前記デジタル放送信号の受信の可否を判断し、
前記物理チャンネルリストに含まれる物理チャンネルで放送される前記デジタル放送信号が前記エリア情報に含まれるエリアの範囲外の地点で受信可能であれば、その地点の緯度および経度のうち、前記エリア情報に含まれるエリアの範囲を超える値を前記エリア情報記憶部に与えて、前記エリア情報に含まれるエリアの範囲を更新することを特徴とするデジタル放送受信装置。
【請求項２】
前記エリア情報記憶部は、ＴＳＩＤおよびサービスＩＤを含む前記サービス情報をさらに格納し、
前記選局制御部は、
前記受信の可否を判断する物理チャンネルと、それ以前に選局していた物理チャンネルとにおいて、前記サービス情報に含まれる前記ＴＳＩＤおよび前記サービスＩＤがそれぞれ一致する場合に、その物理チャンネルで放送されている番組と、それ以前に選局していた物理チャンネルで放送されていた番組とが同一であると判断し、
前記受信の可否を判断する物理チャンネルで送信されるデジタル放送信号が受信可能であり、その物理チャンネルで放送されている番組と、それ以前に選局していた物理チャンネルで放送されていた番組とが同一であると判断した際に、その物理チャンネルを選局して、その物理チャンネルで送信されているデジタル放送信号を取得するように前記チューナ部に指示することを特徴とする請求項１に記載のデジタル放送受信装置。
【請求項３】
前記選局制御部は、
前記信号抽出部で抽出される前記サービス情報の内容に応じて、前記エリア情報記憶部に記憶される前記エリア情報の内容を更新することを特徴とする請求項１または２に記載のデジタル放送受信装置。
【請求項４】
前記選局制御部は、前記サービス情報に含まれるＤＶＢ（Digital Video Broadcasting）規格のcell list descriptorの内容に応じて、前記エリア情報記憶部に記憶される前記エリア情報の内容を更新することを特徴とする請求項３に記載のデジタル放送受信装置。
【請求項５】
前記エリア情報記憶部は、前記位置情報取得部で取得される位置情報で表される現在位置を前記エリアの範囲に含むエリア情報が複数存在するとき、各エリア情報に含まれる前記エリアの範囲を表す緯度および経度から各エリアの範囲の中心点を求め、各エリアの範囲の中心点と前記現在位置との距離に応じて各エリア情報を順位付けし、前記順位に従って各エリア情報に含まれる物理チャンネルを前記物理チャンネルリストに格納することを特徴とする請求項１に記載のデジタル放送受信装置。